(57)【要約】【課題】、鉛直方向から降り注ぐ雨滴を受け入れる上向き受水口に加えて、鉛直方向以外から飛来する雨滴を確実かつ効率よく受け入れ、また、斜面等の浸潤に寄与する雨滴のみを観測することができる雨量計を提供する。【解決手段】鉛直方向から降り注ぐ雨滴を受け入れる上向き受水部１と、鉛直方向以外の方向から飛来する雨滴を受け入れる横向き受水部２と、これらの受水部１、２により受け入れた雨量を計測する計測器４、５から成り、上記横向き受水部２が、円周面に沿った横向き開口部２ａと、該開口部２ａから内部に入ってきた雨滴を受け止める受水板２ｂと、該受水板２ｂにより受け止められて落下または流下する雨滴を集水する受水漏斗２ｃと、該受水漏斗２ｃにより集水された雨水を上記計測器５に排出する排出手段２ｄから構成される。【選択図】        図１
2005049339.tif 000002
【特許請求の範囲】
【請求項１】
鉛直方向から降り注ぐ雨滴を受け入れる上向き受水部と、鉛直方向以外の方向から飛来する雨滴を受け入れる横向き受水部と、これらの受水部により受け入れた雨量を計測する計測器から成り、上記横向き受水部が、円周面に沿った横向き開口部と、該開口部から内部に入ってきた雨滴を受け止める受水板と、該受水板により受け止められて落下または流下する雨滴を集水する受水漏斗と、該受水漏斗により集水された雨水を上記計測器に排出する排出手段から構成されることを特徴とする雨量計。
【請求項２】
上記受水板の表面に跳ね返り防止手段を施すことを特徴とする請求項１に記載の雨量計。
【請求項３】
上記円周面に沿った横向き開口部の一部を遮蔽する遮蔽板を設けたことを特徴とする請求項１または２に記載の雨量計。
【請求項４】
上記遮蔽板を円周に沿って移動可能としたことを特徴とする請求項３に記載の雨量計。
【請求項５】
上記計測器が、上向き受水部と横向き受水部からの雨量をそれぞれ別々に計測する計測器であることを特徴とする請求項１、２、３または４に記載の雨量計。
【発明の詳細な説明】
【技術分野】
【０００１】
本発明は、特に標高が高い場所における雨量を計測するための、雨量計に関するものである。
【背景技術】
【０００２】
一般の雨量計は、鉛直方向に降り注ぐ雨量を計測するように構成されている。
しかし、標高が高い山岳等においては、降雨時に強い風を伴う場合が多く、鉛直方向に降り注ぐ雨滴だけでなく、斜め方向や横方向から飛来したり、極端な場合には下方から吹き上げる雨滴も無視できない。このような鉛直方向以外からの雨滴は、山岳稜線や斜面を浸潤させて土砂災害に少なからぬ影響を与える。そこで、鉛直方向からの雨滴に加えて、鉛直方向以外からの雨滴も計測して、土砂災害の予測に役立てる必要がある。
【０００３】
従来、図５に示すように、鉛直方向から降り注ぐ雨滴を受け入れる上向き受水部Ｒに加えて、円筒周囲に横向きの開口部Ｈを開設し、鉛直方向以外から飛来する雨滴を受け入れる横向き受水部を設けた雨量計が、富士山の測候所長を３０年間勤めた藤村郁雄氏により開発されている。（例えば、非特許文献１参照）
【０００４】
しかし、上記従来の雨量計は、周囲の横向き開口部Ｈに複数の細い棒Ｓを簾状に配列した構造となっているため、この棒Ｓに衝突した雨滴が跳ね返って確実に捕捉できない恐れがあった。
また、山側方向から飛来して斜面の浸潤に寄与しない雨滴をも捕捉してしまう場合もあって、正確な観測ができない等の問題点があった。
【０００５】
【非特許文献１】１９９２年８月１５日  読売新聞社編集発行「富士山  大いなる自然の検証」第２４５頁
【発明の開示】
【発明が解決しようとする課題】
【０００６】
本発明が解決しようとする課題は、上記従来の雨量計の問題点を解決することを目的とし、鉛直方向から降り注ぐ雨滴を受け入れる上向き受水口に加えて、鉛直方向以外から飛来する雨滴を確実かつ効率よく受け入れ、また、斜面等の浸潤に寄与する雨滴のみを観測することができる雨量計を提供することにある。
【課題を解決するための手段】
【０００７】
本発明の雨量計は、鉛直方向から降り注ぐ雨滴を受け入れる上向き受水部と、鉛直方向以外の方向から飛来する雨滴を受け入れる横向き受水部と、これらの受水部により受け入れた雨量を計測する計測器から成り、上記横向き受水部が、円周面に沿った横向き開口部と、該開口部から内部に入ってきた雨滴を受け止める受水板と、該受水板により受け止められて落下または流下する雨滴を集水する受水漏斗と、該受水漏斗により集水された雨水を上記計測器に排出する排出手段から構成されることを特徴とする。また、上記受水板の表面に跳ね返り防止手段を施すことを特徴とする。さらに、上記円周面に沿った横向き開口部の一部を遮蔽する遮蔽板を設けたことを特徴とする。又更に、上記遮蔽板を円周に沿って移動可能としたことを特徴とする。更にまた、上記計測器が、上向き受水部と横向き受水部からの雨量をそれぞれ別々に計測する計測器であることを特徴とするものである。
【発明の効果】
【０００８】
本発明の雨量計は、鉛直方向から降り注ぐ雨滴を受け入れる上向き受水口に加えて、任意の方向に限定して鉛直方向以外から飛来する雨滴を確実かつ効率よく受け入れ、また、斜面等の浸潤に寄与する雨滴のみを観測することができる、という利点がある。
【発明を実施するための最良の形態】
【０００９】
図１および図２は、本発明の雨量計の一実施例を示すものであって、１は鉛直方向から降り注ぐ雨滴を受け入れる上向き受水部、２は鉛直方向以外から飛来する雨滴を受け入れる横向き受水部、４は鉛直方向からの雨量の計測器、５は鉛直方向以外からの雨量の計測器、および６は記録計である。なお、計測器４、５で計測された計測データを有線または無線手段により遠隔地に伝送できる。
【００１０】
上向き受水部１は、鉛直上方向を向いていて、鉛直方向から降り注ぐ雨滴を捕捉する円筒状の受水口１ａと、該受水口１ａの下端部に一体的に設けられていて、捕捉した雨滴を集水する受水漏斗１ｂと、該受水漏斗１ｂにより集水された雨水を下方の雨量計測器４に導水する導水パイプ１ｃから構成されている。本発明の受水部は、本実施例に限定するものではなく、鉛直方向から降り注ぐ雨滴を受け入れることができる構成であればいずれでもよい。
【００１１】
上記横向き受水部材２は、鉛直方向以外から飛来する雨滴を受け入れることのできる円周面に沿った横向き開口部２ａと、該開口部２ａの内部において放射状に且つ鉛直に配向され、上記開口部２ａから内部に入ってきた雨滴を受け止める受水板２ｂと、該受水板２ｂにより受け止められて落下または流下する雨滴を集水する受水漏斗２ｃと、該受水漏斗２ｃにより集水された雨水を下方の雨量計測器５に排出する排出パイプ２ｄから構成されている。
【００１２】
上記受水板２ｂの表面には、網目や突起など（図示せず）を施して、衝突した雨滴が飛散することなく落下もしくは流下し易いように工夫するのが好ましい。また、該受水板２ｂの枚数や形状、大きさ、取り付け方法は、この実施例に限定するものではなく、例えば、受水板２ｂの外縁は開口部２ａから少し内方に位置させたり、内縁も隙間を持たせてもよく、少し湾曲させたり波形に形成してもよい。
【００１３】
本実施例の雨量計は以上のように構成されているので、鉛直方向から降り注ぐ雨滴は、受水口１ａで受けて受水漏斗１ｂにより集水し、導水パイプ１ｃを流下して、下方に配置された転倒桝型計測器等の雨量計測器４により計測される。
【００１４】
一方、斜め方向や横方向からの鉛直方向以外から飛来する雨滴は、上記横向き開口部２ａで受けて受水板２ｂにより受け止められ、落下または流下して受水漏斗２ｃにより集水されて排出パイプ２ｄから雨量計測器５により計測される。この雨量計測器５は外部に設けてもよい。
【００１５】
以上のように、鉛直方向からの雨量と、鉛直方向以外からの雨量は、それぞれ雨量計測器４および５により別々に計測されるので、気象庁の地上気象観測指針（１９９３年）に則した計測方式（鉛直方向からの雨量）と斜面を直接浸潤させる降雨量を比較することができる。
【００１６】
図３および図４は、本発明の雨量計の別の実施例を示すもので、上記実施例の雨量計の横向き受水部材２の山側外周に、円弧状の遮蔽板３を設けて、特に斜面の浸潤に寄与しない山側から吹き付ける雨滴を遮蔽するようになっている。該遮蔽板３の巾を変化させて遮蔽面積を変えたり、周囲方向に移動させて遮蔽方向を変えたり、或いは、該遮蔽板３を雨量計本体に固定して、本体を回転させて遮蔽方向を変えるようにすることができえる。
【００１７】
このように、横向き受水部材２の山側に遮蔽板３を位置させることにより、斜面の浸潤に寄与しない山側からの雨滴は、この遮蔽板３により邪魔されて観測されないので、斜面の浸潤に影響を与える雨量のみを正確に把握することができる。
【産業上の利用可能性】
【００１８】
本発明の雨量計は、斜面を直接浸潤させる降雨を計測できるので、流域の正確な水資源収支および土砂の生産量に寄与する水文量が把握でき、水利用産業および防災分野の用途にも適用できる。
【図面の簡単な説明】
【００１９】
【図１】本発明の雨量計の一実施例を示す要部の斜視図である。
【図２】図１の実施例の断面図（Ａ）および（Ａ）のイ−イ端面図（Ｂ）である。
【図３】本発明の雨量計の一実施例を示す要部の斜視図である。
【図４】図３の実施例の断面図（Ａ）および（Ａ）のロ−ロ端面図（Ｂ）である。
【図５】従来の雨量計の説明図である。
【符号の説明】
【００２０】
１    上向き受水部
１ａ  受水口
１ｂ  受水漏斗
１ｃ  導水パイプ
２    横向き受水部
２ａ  開口部
２ｂ  受水板
２ｃ  受水漏斗
２ｄ  排出パイプ
３    遮蔽板
４    計測器
５    計測器
６    記録計
Ｈ    開口部
Ｒ    受水部
Ｓ    棒
【図１】
2005049339.tif 000003
【図２】
2005049339.tif 000004
【図３】
2005049339.tif 000005
【図４】
2005049339.tif 000006
【図５】
2005049339.tif 000007